(57)【特許請求の範囲】
【請求項１】
ケーブル上の電気的ノイズを吸収するための装置であって、
ノイズを低減若しくは吸収する材料からなるそれぞれ１個のエレメントを受容するための２個の部分シェル（１、２）を包含するケーシングであって、閉じた状態で両端面（５、６）に貫通するケーブルのためのそれぞれ１個の開口部を有するケーシングと、
該ケーシングをケーブルに固持するための少なくとも１個の固定手段と、を有しており、
前記固定手段は前記ケーシングの少なくとも一方の端面（５、６）で開口部の範囲内に配置され、
前記固定手段は少なくとも２個のハンガー部材（２１）を有しており、前記少なくとも２個のハンガー部材（２１）の互いに向き合わされてケーブルに対して横断方向に変形可能なそれぞれの辺部（２２）は、複数の辺部の間にケーブルを締め付けて受容するためのスリットを形成し、２個のハンガー部材（２１）の互いに向き合わされた辺部（２２）は互いに平行に延びており、
少なくとも２個のハンガー部材（２１）はＵ字形に形成されており、前記辺部（２２、２３）の端部は部分シェル（２）に一体的に成形されており、
各部分シェル（１、２）は、ノイズを低減若しくは吸収する材料からなるエレメントのそれぞれ一方を部分シェル（１、２）に対して相対的に位置決めするための手段を有し、
前記位置決めするための手段は、斜めに配置されたセンタリングウェブ（１６）として形成されており、前記センタリングウェブ（１６）は、前記エレメントをそれぞれの部分シェル（１、２）に挿入する際に、前記エレメントを部分シェル（１、２）の端壁（５、６）の間の所定の位置に動かし、
各端壁（５、６）は少なくとも１個のセンタリングウェブ（１６）を装備されており、センタリングウェブ間の間隔はそれぞれの部分シェル（１、２）の底部に向かって減少する、
ことを特徴とする装置。
【請求項２】
前記辺部（２２）の互いに向き合わされた内側は、該辺部（２２）の長手方向に延びるリブ部を有する、請求項１に記載の装置。
【請求項３】
前記各ハンガー部材（２１）の辺部（２２、２３）は互いに平行に延びている、請求項１又は２に記載の装置。
【請求項４】
互いに向き合わされた辺部（２２）の断面は方形である、請求項１〜３の何れか一項に記載の装置。
【請求項５】
２個の固定手段は同一の部分シェル（２）に配置されている、請求項１〜４の何れか一項に記載の装置。
【請求項６】
ケーシングを閉じた状態でロックするためのロック手段を備えている、請求項１〜５の何れか一項に記載の装置。
【請求項７】
ケーシングを閉じる際に２個の部分シェル（１、２）の正確な位置合わせを保証するためのセンタリング手段を備えている、請求項１〜６の何れか一項に記載の装置。
【請求項８】
ケーシングの２個の部分シェル（１、２）は、互いに関節でつながった態様で連結されている、請求項１〜７の何れか一項に記載の装置。
【請求項９】
前記センタリングウェブ（１６）は部分シェル（１、２）の一方の端部とのみ結合されていて弾性的に変形可能である、請求項１に記載の装置。
【請求項１０】
ケーシングを閉じた状態でケーブルの軸方向引張りに対してハンガー部材（２１）を安定化するための手段が設けられている、請求項１〜９の何れか一項に記載の装置。
【請求項１１】
前記ハンガー部材（２１）を安定化するための手段はラグ（３２）を有しており、前記ラグ（３２）はハンガー部材（２１）を有していない方の部分シェル（１）に設けられていて、ケーシングを閉じた状態で挿入されたケーブルと接触する辺部（２２）と、ハンガー部材（２１）を有する部分シェル（２）の隣接する端壁（５、６）との間の隙間を埋める、請求項１０に記載の装置。
【請求項１２】
ケーブル上の電気的ノイズを吸収するための装置であって、
ノイズを低減若しくは吸収する材料からなるそれぞれ１個のエレメントを受容するための２個の部分シェル（１、２）を包含するケーシングであって、閉じた状態で両端面（５、６）に貫通するケーブルのためのそれぞれ１個の開口部を有するケーシングと、
該ケーシングをケーブルに固持するための少なくとも１個の固定手段と、を有しており、
前記固定手段は前記ケーシングの少なくとも一方の端面（５、６）で開口部の範囲内に配置され、
前記固定手段は少なくとも２個のハンガー部材（２１）を有しており、前記少なくとも２個のハンガー部材（２１）の互いに向き合わされてケーブルに対して横断方向に変形可能なそれぞれの辺部（２２）は、複数の辺部の間にケーブルを締め付けて受容するためのスリットを形成し、２個のハンガー部材（２１）の互いに向き合わされた辺部（２２）は互いに平行に延びており、
少なくとも２個のハンガー部材（２１）はＵ字形に形成されており、前記辺部（２２、２３）の端部は部分シェル（２）に一体的に成形されており、
各部分シェル（１、２）は、ノイズを低減若しくは吸収する材料からなるエレメントのそれぞれ一方を部分シェル（１、２）に対して相対的に位置決めするための手段を有し、
前記位置決めするための手段は、斜めに配置されたセンタリングウェブ（１６）として形成されており、前記センタリングウェブ（１６）は、前記エレメントをそれぞれの部分シェル（１、２）に挿入する際に、前記エレメントを部分シェル（１、２）の端壁（５、６）の間の所定の位置に動かし、
前記センタリングウェブ（１６）は部分シェル（１、２）の一方の端部とのみ結合されていて弾性的に変形可能である、
ことを特徴とする装置。
【請求項１３】
ケーブル上の電気的ノイズを吸収するための装置であって、
ノイズを低減若しくは吸収する材料からなるそれぞれ１個のエレメントを受容するための２個の部分シェル（１、２）を包含するケーシングであって、閉じた状態で両端面（５、６）に貫通するケーブルのためのそれぞれ１個の開口部を有するケーシングと、
該ケーシングをケーブルに固持するための少なくとも１個の固定手段と、を有しており、
前記固定手段は前記ケーシングの少なくとも一方の端面（５、６）で開口部の範囲内に配置され、
前記固定手段は少なくとも２個のハンガー部材（２１）を有しており、前記少なくとも２個のハンガー部材（２１）の互いに向き合わされてケーブルに対して横断方向に変形可能なそれぞれの辺部（２２）は、複数の辺部の間にケーブルを締め付けて受容するためのスリットを形成し、２個のハンガー部材（２１）の互いに向き合わされた辺部（２２）は互いに平行に延びており、
少なくとも２個のハンガー部材（２１）はＵ字形に形成されており、前記辺部（２２、２３）の端部は部分シェル（２）に一体的に成形されており、
ケーシングを閉じた状態でケーブルの軸方向引張りに対してハンガー部材（２１）を安定化するための手段が設けられており、
前記ハンガー部材（２１）を安定化するための手段はラグ（３２）を有しており、前記ラグ（３２）はハンガー部材（２１）を有していない方の部分シェル（１）に設けられていて、ケーシングを閉じた状態で挿入されたケーブルと接触する辺部（２２）と、ハンガー部材（２１）を有する部分シェル（２）の隣接する端壁（５、６）との間の隙間を埋める、
ことを特徴とする装置。
【発明の詳細な説明】
【技術分野】
【０００１】
本発明は、ケーブル上の電気的ノイズを吸収するための装置から出発する。そのような装置は公知である。電気的ノイズを吸収するために通常は、後からケーブルに装着できるように二体型に形成されたフェライトからなるエレメントが用いられる。各エレメントは、２個のエレメントを組み合わせた後でケーブルのための貫通孔を形成するように凹み部を有している。これらのフェライトエレメントは、２個の部分シェルからなるケーシング内に収容されている。
【背景技術】
【０００２】
この種類の公知の装置では両部分シェルの端面に斜め外方に向けられたフィンガーが配置されており、その端部はケーシングを閉じるとケーブルに当接する（特許文献１）。
【０００３】
同様に公知の種類の装置（特許文献２）では、１個の部分シェルの両端面にそれぞれ１個の固定手段が取り付けられており、この固定手段はケーブルを受容するための２個の平行なエッジを備えたスリットを有している。締付けによる固持は、エッジが多かれ少なかれ強くケーブルの絶縁に圧入することによって行われる。固定手段はそれぞれケーシングの外側に配置されている。
【０００４】
更に、同様に固定手段部分シェルの端面の外側に配置されている装置が公知である。これらの固定手段は、ケーブルを受容するための平行なエッジを備えたスリットを有している。エッジが形成されているウェブは、ケーブルの長手方向軸心に対して垂直な軸心を中心に旋回できる（特許文献３）。
【０００５】
公知の装置は後からケーブルに取り付けるようになっている。装置は、それぞれ特定の直径範囲のケーブルに取り付けることができ、この範囲は固定手段の変形範囲によって決定され、従って限定されている。
【先行技術文献】
【特許文献】
【０００６】
【特許文献１】米国特許第５００３２７８号明細書
【特許文献２】欧州特許第１０３９６３２Ａ２号明細書
【特許文献３】独国特許出願第１０２００６０２７３１２Ａ１号明細書
【発明の概要】
【発明が解決しようとする課題】
【０００７】
本発明の課題は、ケーブルのより大きい直径範囲に対して使用可能なケーブルでのノイズを吸収するための装置を提供することである。
【課題を解決するための手段】
【０００８】
この課題を解決するために本発明は、請求項１に記載された特徴を有する装置を提案する。本発明の変形例が従属請求項に記載されている。
【０００９】
従って本発明により提案される装置は、固定手段として少なくとも１個のハンガー部材（hanger）を有しており、その挿入される若しくは挿入されたケーブルに向き合わされてケーブルに対して横断方向に変形可能な辺部がケーブルを締め付けて受容するためのスリットの境界をなし、特に２個のハンガー部材は当該ハンガー部材の間にケーブルを締め付けて受容するためのスリットを形成する。種々異なるケーブル径への適合は、ケーブルのための貫通孔の長手方向に対して横断方向に変形する、単数又は複数のハンガー部材自体の変形によって行われる。１個のハンガー部材しか存在しない場合は、ハンガー部材と対向するスリットの境界は、適当なストッパー或いはまたケーシングの開口部の端縁によって形成される。ハンガー部材が１個のみの場合は２個のハンガー部材に比べてより大きいケーブル断面を受容できるが、締付け力は小さくなる。
【００１０】
この変形の種類によって、より大きい範囲の直径をカバーできる。
【００１１】
本発明の変形例において、少なくとも１個のハンガー部材はＵ字形に形成されており、ハンガー部材の辺部の端部は部分シェルケーシングに一体的に成形されているようにすることができる。
【００１２】
この形態のハンガー部材は広い範囲での変形を可能にし、しかもその際に発生する力が著しく失われることはない。ケーブルを挟み込む際に発生する力は、辺部の変形及びまたハンガー部材の辺部を結合しているアーチ部の変形に分散できる。従ってハンガー部材の辺部の端部が部分シェルに成形されていることにより、事実上全ハンガー部材が変形のために提供される。
【００１３】
本発明の変形例において、挿入される又は挿入されたケーブルに向き合わされた辺部の内側は辺部の長手方向に延びるリブ部を有する。
【００１４】
このようにすると、ケーブルに作用する保持力を高めることができる。互いに向き合う２個のハンガー部材が存在する場合は、間にスリットを形成する辺部の互いに向き合わされた内側が、辺部の長手方向に延びる、従ってケーブルの方向に対して横断方向に延びるリブ部を有するようにされてよい。リブ部は複数のリブからなることができる。それによってケーシングのケーブルへの固持を特に効果的に補強することが達成され、しかも過度に強い締付け力は必要とされない。
【００１５】
本発明の変形例において、各ハンガー部材の辺部は少なくともほぼ互いに平行に延びているようにすることができる。
【００１６】
本発明の別の構成において、固定手段をなす両ハンガー部材の互いに向き合わされた辺部が互いに平行に延びているようにすることができる。
【００１７】
互いに向き合わされた辺部の断面が方形であり、その結果としてリブ部が特に簡単に形成されるようにすることができる。
【００１８】
本発明の別の構成において、２個の固定手段が同一の部分シェルに形成されているようにすることができる。そうすることによってケーシングは開いた状態でも簡単にケーブルを取り付けることができ、続いて閉じることができる。
【００１９】
本発明は、ハンガー部材をケーシングの内側に、つまりケーシングの端面の内側に配置し、その際にそれぞれの内側とハンガー部材との間に小さい間隔を設けることができ、その結果としてハンガー部材は非常にフレキシブルに形成され得ることを提案する。従って固定手段はケーシングの端面から突出せず、ケーシングの外は平滑に、従ってまた突起物なしに形成することができる。
【００２０】
ケーシングがロック手段を有しており、ケーシングを閉じた状態でロックすることによってひとりでに開かないようにすることができる。このロック手段は、それぞれ他方の部分シェルの対応する開口部に突入係合する突起物を付けた弾性的舌部を有することができる。
【００２１】
本発明の変形例において、ケーシングはケーシングを閉じる際に両部分シェルの正確な位置合わせを保証するセンタリング手段を有することができる。
【００２２】
これは例えばスリットを有する突出部であってよく、リブでそれぞれ他方の部分シェルと協働して、リブが突出部のスリットに突入係合する。
【００２３】
ケーシングの両部分シェルが、例えば両部分シェルのケーブル方向に延びるエッジで互いに蝶着されているようにすることができる。従って閉鎖動作は、ケーシングの貫通孔と平行な軸心を中心に旋回させることである。一方の部分シェルの長手方向エッジから突出する上記のスリットを有する突出部は、その外側がこの旋回運動に適合するように、従って斜めに又は湾曲して延びるように形成できる。
【００２４】
両部分シェルが互いに差し込まれるように、従って互いに蝶着されていないようにすることももちろん可能である。
【００２５】
本発明の変形例において、各部分シェルはノイズを低減若しくは吸収する材料からなるエレメントのそれぞれ一方を部分シェルに対して相対的に位置決めするための手段を有する。
【００２６】
本発明の変形例において、エレメント、特にフェライトエレメントを位置決めするための手段は、斜めに配置されたセンタリングウェブとして形成されており、エレメントをそれぞれの部分シェルに挿入する際に当該エレメントを部分シェルの端壁間の所定の位置に動かす。
【００２７】
従ってセンタリングウェブによって、エレメントをそれぞれの部分シェルに挿入する際に簡単に圧入することにより自動的に部分シェルに対して相対的な所定の位置に動かす傾斜面が画定される。
【００２８】
本発明の変形例において、各端壁は少なくとも１個のセンタリングウェブを装備されており、センタリングウェブ間の間隔はそれぞれの部分シェルの底部に向かって減少する。
【００２９】
センタリングウェブをそのように配置することにより、エレメント、例えば半シェルの形をしたフェライトエレメントをケーシングの部分シェルに簡単に圧入することによりエレメントの正確な位置決めを達成できる。
【００３０】
本発明の変形例において、センタリングウェブは部分シェルの一方の端部とのみ結合されていて弾性的に変形可能である。
【００３１】
このようにするとセンタリングウェブは弾性的に変形でき、エレメントを圧入する際にばね力を発揮できる。エレメントがそれらの最終位置に到達したときも、センタリングウェブはエレメントに付勢力を与え、その結果としてエレメントは部分シェル内にがたつくことなく保持され得る。有利にはセンタリングウェブは部分シェルのそれぞれの端壁と結合されている。それぞれの部分シェルの底部の方向に見ると、センタリングウェブの下にはそれぞれの部分シェルの底部に貫通孔が配置されている。これにより部分シェルを射出成形、特にプラスチック射出成形で製造することが簡単になる。なぜならこの場合センタリングウェブは部分シェルと一緒に簡単に離型できるからである。
【００３２】
本発明の変形例において、ケーシングを閉じた状態でケーブルの軸方向引張りに対してハンガー部材を安定化するための手段が設けられている。
【００３３】
本発明の変形例において、ハンガー部材を安定化するための手段はラグを有しており、これらのラグはハンガー部材を有していない方の部分シェルに設けられていて、ケーシングを閉じた状態で挿入されたケーブルと接触する辺部と、ハンガー部材を有する部分シェルの隣接する端壁との間の隙間を埋める。
【００３４】
このようにすると、ハンガー部材はそれぞれ隣接する端壁に向かうケーブルの軸方向引張りに対して確保され得る。有利には部分シェルの互いに向き合う両端壁にそれぞれハンガー部材が配置されていると、一方の端面上のハンガー部材は一方の方向のケーブルの引張りに対して確保されており、対向する端壁上のハンガー部材は反対方向のケーブルの引張りに対して確保されている。ケーブルがどの方向に引っ張られるかにかかわらず、引張り力はその都度ラグによってそれぞれのハンガー部材とそれぞれ隣接する端壁との間に誘導され、その結果としてハンガー部材はケーブルの引張りによって変形することはなく、更には破損することがない。
本発明のその他の特徴、詳細及び利点は、いずれも説明の内容と関連付けられている特許請求の範囲と要約、本発明の好適な実施形態の以下の説明、並びに図面に基づいて明らかになる。その際に図示された種々の実施形態の個々の特徴は本発明の範囲を逸脱することなく任意に組み合わせることができる。
【図面の簡単な説明】
【００３５】
【図１】フェライトエレメントのない開いたケーシングの斜視図である。
【図２】別の方向から見た斜視図である。
【図３】縮尺を拡大した図である。
【発明を実施するための形態】
【００３６】
ケーブル上の電気的ノイズを吸収するための装置の図示されたケーシングは、２個の部分シェル１、２を有しており、これらは長手方向エッジ３に沿ってフィルムヒンジ４により互いに蝶着されている。こうすることにより両部分シェル１、２は閉じたケーシングを形成するために、長手方向エッジ３に対して平行に延びる軸心を中心に旋回されて閉じられる。各部分シェル１、２は、図示されないフェライトエレメントを受容するためのものである。両部分シェル１、２は樽形に形成されており、そのためほぼ半円柱形の断面を有する。
【００３７】
各半シェル１、２はそれぞれの端面５、６にそれぞれ１個の半円形切欠き７を有しており、ケーシングを折り畳んで閉じた状態でそれぞれケーブルのための円形貫通孔を形成する。次に両端壁５、６で互いに一直線の開口部が、ケーブルのための貫通孔をなす。
【００３８】
図示された実施形態ではケーシングはケーブルのための貫通孔の方向で横断方向より長いが、これは必ずしもそうである必要はない。以下に長手方向及び横断方向と言うとき、長手方向はケーブルのための貫通孔の方向と理解すべきである。
【００３９】
各部分シェル１、２の底部は、長手方向にずらして配置された２個のばね要素８を備えている。これらのばね要素８はケーシングが閉じた状態で両フェライトエレメントを付勢して、両フェライトエレメントが互いに押し付けられるようにする。長手方向中央では両ばね要素８の間に補正突出部９が設けられており、これも同様に両フェライトエレメントが互いに正確に当接するように働く。
【００４０】
図１で左側の部分シェル１の、フィルムヒンジ４と反対の外側の長手方向エッジ１０には２個のラッチング片１１が成形されており、ケーシングを閉じるとそれらの係止突起はそれぞれ他方の部分シェル２の対応する外側の長手方向エッジ１、２に設けられた２個の開口部１３に突入係合する。これらのラッチング片１１は開口部１３と共にケーシングを閉じた状態でロックするためのロック手段を形成する。
【００４１】
それぞれの端壁５、６を有する外側の長手方向エッジ１０、１２のコーナーの範囲に、溝部１４と突起部１５の形式による構成が設けられており、ケーシングは閉じた状態で外から荷重が加えられても閉じた状態に留まるようにされている。コーナー部に配置することにより、横断方向荷重でも長手方向荷重でも固定が確保されるようになっている。
【００４２】
両部分シェル１、２の端壁５、６の内側には、斜めに延びるセンタリングウェブ１６が形成されており、フェライトエレメントを挿入するとこれらを端壁５、６間の中央の正しい位置に動かす。フェライトエレメントがそれぞれの半シェル内に固持され続けるように、半シェルの長手方向壁の内側に突出部１７が成形されている。これらはフェライトエレメントの対応する構成に突入係合する。
【００４３】
両半シェルを急いで旋回させてケーシングを閉じたときに正確な位置を取るように、一方の部分シェル２の長手方向エッジ１、２から突き出した突出部１９を有するセンタリング手段が設けられている。この突出部１９はスリット２０を有しており、それにより２個の歯が形成されている。長手方向エッジ１、２に対して横断方向に延びるスリット２０の位置に、他方の部分シェル１の他方の長手方向エッジ１０の内側に配置されたリブ３１が対応している。従ってケーシングを閉じると、リブ３１は突出部１９のスリット２０内に入る。
【００４４】
突出部１９の外側は、他方の部分シェル１の内側に湾曲に対応し同様にやや湾曲して又は斜めに形成されている。
【００４５】
図１及び図２で右側の部分シェル２の両端壁５、６の内側には、両端壁から間隔を置いてそれぞれ２個のハンガー部材２１を有する固定装置が配置されている。そのため部分シェル２には合計４個のハンガー部材２１が配置されている。図１で上側の部分シェル２の端壁に設けた両ハンガー部材２１はケーブルのための固定装置若しくは固定手段をなし、図１で下側の部分シェル２の端壁に設けた両ハンガー部材２１はケーブルのための固定装置若しくは固定手段をなしている。各ハンガー部材２１はＵ字形に形成されており、内側辺部２２、外側辺部２３及び両辺部を結合するアーチ部２４を有する。外側辺部２３は内側辺部２２に対して平行に延びており、両ハンガー部材の互いに向き合わされた内側辺部２２も同様に互いに平行に延びている。内側辺部２２はポールのようにケーシングの長手方向に対して横断方向に変形可能であり、この変形可能性はアーチ部２４が変形することによっても助長される。
【００４６】
内側辺部２２の互いに向き合わされた内側は、辺部の長手方向に延びるリブ部２５を備えてケーブルの保持力を強めている。
【００４７】
辺部２２、２３の端部は、部分シェル２と一体成形により結合されている。例えばハンガー部材２１は部分シェル１、２と一緒にプラスチック射出成形によって製造できる。部分シェル２の離型を容易にするために、部分シェル２は辺部２２、２３の端部の間にそれぞれ１個の貫通孔を有している。アーチ部２４は変形可能性をなすだけでなく、同時に部分シェル２をケーブルに被せる際の導入傾斜部をなす。内側辺部２２の間に形成されたスリットと反対に向けられた、辺部を結合するアーチ部２４の外側はそれぞれ他方の部分シェル１の内側の形状に適合されて、部分シェルは閉じる際にアーチ部２４に沿って進むことができ、更にアーチ部２４は部分シェルの内側を当接することができる。そうすることによって、部分シェル１、２を閉じると、内側辺部２２によってケーブルに加えられる締付け力は更に強化され得る。
【００４８】
図１及び図２のそれぞれ左側に示されたケーシングの部分シェル１、つまりハンガー部材２１を有していない方の部分シェル１は、それぞれのケーシング開口部の範囲内で各側面に２個の成形されたラグ３２を備えている。これらのラグ３２はそれぞれの部分シェル１の端壁からそれらの内室に向かって突き出している。両部分シェル１、２を閉じた状態でラグ３２は挿入されたケーブルと接触する辺部とケーシングシェル１のそれぞれの端壁との間の隙間を埋める。それによりケーシングを閉じた状態でハンガー部材２１はケーブルの軸方向引張りに対して安定化される。図２で部分シェル２の上側にあるハンガー部材２１が突出部３２により軸方向引張りに対して上方に安定化されるのに対し、図２で部分シェル２の下側にあるハンガー部材２１は突出部３２により軸方向引張りに対して下方に安定化される。これにより挿入されたケーブルの両方向の軸方向引張りは、図２で上側の部分シェル１の端壁に設けた突出部３２によって、若しくは図２で下側の部分シェル１の端壁に設けた突出部３２によって吸収できる。
【図１】
0006581205.tif 000002
【図２】
0006581205.tif 000003
【図３】
0006581205.tif 000004